(57)【要約】      （修正有）【課題】簡易に製造することができ、優れた矯正機能及び／又は動作補助機能を備える下着を提供する。【解決手段】下着１０は、左右対称形状の筒状編地１、２からなる下着１０であって、左右の各筒状編地１、２の少なくとも一方が、Ｓ撚り又はＺ撚りの糸のいずれか一方で表糸及び／又は裏糸により編成される。【選択図】図１
0003228251.tif 000002
【実用新案登録請求の範囲】
【請求項１】
左右対称形状の筒状編地からなる下着であって、
左右の各筒状編地の少なくとも一方が、Ｓ撚り又はＺ撚りの糸のいずれか一方で表糸及び／又は裏糸により編成されることを特徴とする
下着。
【請求項２】
請求項１に記載の下着であって、
Ｓ撚りの糸を表糸及び／又は裏糸として丸編みで編成される一の筒状編地と、
Ｚ撚りの糸を表糸及び／又は裏糸として丸編みで編成される他の筒状編地と、
を縫合して構成されることを特徴とする
下着。
【請求項３】
請求項２に記載の下着であって、
前記一及び他の筒状編地の表糸及び裏糸が、各々、Ｓ撚り又はＺ撚りの糸のうち同じ撚りの糸により編成されることを特徴とする
下着。
【請求項４】
請求項１に記載の下着であって、
Ｓ撚り又はＺ撚りの糸を表糸及び／又は裏糸として丸編みで編成される一の筒状編地と、
Ｓ撚り又はＺ撚りの糸のうち前記一の筒状編地の表糸及び／又は裏糸と同じ撚りの糸を表糸として丸編みで編成される他の筒状編地と、
を縫合して構成されることを特徴とする
下着。
【請求項５】
請求項４に記載の下着であって、
前記一及び他の筒状編地の表糸及び裏糸が、各々、Ｓ撚り又はＺ撚りの糸のうち同じ撚りの糸により編成されることを特徴とする
下着。
【請求項６】
請求項１〜５のいずれかに記載の下着であって、
前記一及び他の筒状編地を各々複数の表糸及び裏糸で編成する場合に、当該表糸及び裏糸が、前記Ｓ撚り及び／又は前記Ｚ撚りの糸を撚り戻りをかけた等の他の糸より割合を多くすることを特徴とする
下着。
【請求項７】
請求項１〜６のいずれかに記載の下着において、
肩サポーター、Ｔシャツ、タンクトップ、スパッツ、タイツ、ストッキング、ガードル、またはショーツであることを特徴とする
下着。
【考案の詳細な説明】
【技術分野】
【０００１】
本考案は、簡易に製造することができ、優れた矯正機能及び／又は動作補助機能を備える下着に関する。
【背景技術】
【０００２】
現在の下着市場では、地肌と接触する際の着心地の向上にとどまらず、各種の機能性を備えて付加価値を向上させた下着のニーズが高まっている。このような下着を着用することによって、例えば、上半身であれば肩関節をサポートする機能や、下半身であればＸ脚（外反膝）やＯ脚（内反膝）を矯正する機能が挙げられ、各関節の円滑な動作をサポートする機能等が得られることが望まれている。
【０００３】
また、ゴルフ、野球、テニス等のスポーツ競技では、選手が、右打ち、左打ち、右投げ、及び左投げ等、身体の左右非対称に固定された繰り返し動作が行われており、下着を着用することによって、このような左右非対称の繰り返し動作が円滑に行えることや左右非対称の繰り返し動作の強度が高められるような動作補助機能が得られることも望まれている。
【０００４】
このような下着は、従来からの所謂肌着としての下着とは異なり、機能性を有するという新しいタイプの下着であり、今後の高い需要を見込んで活発に開発が行われている。従来の下着では、一般に、一定方向に捻られて構成される撚り糸（例えば、後述のＳ撚り又はＺ撚りの糸）を用いて編立てられる場合には、撚り糸（例えば、Ｓ撚り又はＺ撚りの糸）を均等に組み合わせることで（例えば異なる撚り方向の撚り糸を交互に同量用いることで）この一定方向に撚られた糸の捻りを編立て後に解消して斜交を起こさないように編立てられたり、このような撚り糸を用いない場合には、当初から撚りの無い双糸を使って編立てられたりすることで、編立て後の生地として捻れを生じない編成を前提として、機能性を発揮させるために、下着の生地中の締め付け力について強い領域と弱い領域を組み合わせて設けることによって、着用者の適正な動作をサポートしようとする下着が知られている。
【０００５】
例えば、従来の下着としては、着用者の下半身の動作を支援するタイツにおいて、全体として伸縮性を有する素材によって成形され、締め付け力の強い強領域と締め付け力の弱い弱領域とを有するものが知られている（例えば、特許文献１参照）。
【先行技術文献】
【特許文献】
【０００６】
【特許文献１】特開２００４−２３８７８９号公報
【考案の概要】
【考案が解決しようとする課題】
【０００７】
従来の下着では、例えば上記の特許文献１に示されるように、全体として伸縮性を有する素材によって成形され、締め付け力の強い強領域と締め付け力の弱い弱領域とを有するものもあるが、複雑な編み構造を編成する必要があることや、異なる部材を適切に組み合わせることによって、締め付け力の強弱領域を発揮するように編成する必要があることから、製造工程が複雑になり、必然的に製造コストが嵩むという課題があった。また、着用者の着脱時には、当該複雑な編み構造に起因して、生地に伸び及び損傷が生じやすく、生地の消耗が早いものとなるという課題があった。
【０００８】
本考案は、前記課題を解決するためになされたものであり、一定方向に捻られて構成される撚り糸（後述のＳ撚り又はＺ撚りの糸）について従来とは全く異なる新たな形態で用いることによって、簡易に製造することができ、優れた矯正機能及び／又は動作補助機能を備える下着を提供することを目的とする。
【課題を解決するための手段】
【０００９】
本考案に係る下着は、左右対称形状の筒状編地からなる下着であって、左右の各筒状編地の少なくとも一方が、Ｓ撚り又はＺ撚りの糸のいずれか一方で表糸及び／又は裏糸により編成されるものである。このように、本考案に係る下着は、左右の各筒状編地が、左右で撚りの異なる糸から構成されるか、又は、左右で同じ撚りの糸から構成されることから、左右の各筒状編地が撚りの異なる糸から構成される場合には、下着の左右中心から左右両端に向かって拡散する力か、又は、下着の左右両端から左右中心に向かって収縮する力が作用して、着用者の日常的な動作のうち左右に偏りが生じてしまった動作を左右均等となるように矯正することとなり、また、左右の各筒状編地が撚りの同じ糸から構成される場合には、下着の左端から右端（又は右端から左端）までの一方向に向かう力が作用して、ゴルフ、野球、テニス等のスポーツ競技での身体の左右非対称に固定された繰り返し動作を円滑にして、その動作の強度が高められることとなり、着用者における矯正が必要な各種動作を簡便に矯正することやスポーツ競技等での着用者の動作を補助して向上させることが可能となる。
【００１０】
本考案に係る下着は、必要に応じて、Ｓ撚りの糸を表糸及び／又は裏糸として丸編みで編成される一の筒状編地と、Ｚ撚りの糸を表糸及び／又は裏糸として丸編みで編成される他の筒状編地と、を縫合して構成されるものである。このように、本考案に係る下着は、左右対称形状の下着であって、Ｓ撚りの糸を表糸及び／又は裏糸として丸編みで編成される一の筒状編地と、Ｚ撚りの糸を表糸及び／又は裏糸として丸編みで編成される他の筒状編地と、を縫合して構成されることから、表糸及び／又は裏糸としてのＳ撚りの糸とＺ撚りの糸が各々、左右対称形状の下着の左側と右側に構成されて糸の捻り方向が下着の左側と右側とで異なる方向に構成されることから、下着の左側と右側とが互いに外向きに捻られるかまたは互いに内向きに捻られるかの力が作用する（即ち、左右対称の下着の左側と右側が共に内向または共に外向する方向に引張力が作用する）こととなり、例えば、下半身用の下着として用いた場合には、外向する方向に引張力が作用する場合には起立時に両膝の間が閉じた状態即ち両膝が内側に彎曲したＸ脚（外反膝）の着用者に対して、当該Ｘ脚（外反膝）を矯正する引張力が作用することとなり、また、内向する方向に引張力が作用する場合には起立時に両膝の間が開く状態即ち外側に両膝が開くＯ脚（内反膝）の着用者に対して、当該Ｏ脚（内反膝）を矯正する引張力が作用することとなり、簡易な構成で、着用者における矯正が必要な各種動作を簡便に矯正することが可能となる。
【００１１】
また、本考案に係る下着は、必要に応じて、前記一及び／又は他の筒状編地の表糸及び裏糸が、各々、Ｓ撚り又はＺ撚りの糸のうち同じ撚りの糸により編成されるものである。このように、本考案に係る下着は、前記一及び／又は他の筒状編地の表糸及び裏糸が、各々、Ｓ撚り又はＺ撚りの糸のうち同じ撚りの糸により編成されることから、下着の左側と右側とが互いに外向きに捻られるかまたは互いに内向きに捻られるかの力が表糸及び裏糸の両方から強固に作用する（即ち、左右対称の下着の左側と右側が共に内向または共に外向する方向に引張力が作用する）こととなり、例えば、下半身用の下着として用いた場合には、外向する方向に引張力が作用する場合には、起立時に両膝の間が閉じた状態即ち両膝が内側に彎曲したＸ脚（外反膝）の着用者に対して、当該Ｘ脚（外反膝）を矯正する引張力が作用することとなり、また、内向する方向に引張力が作用する場合には、起立時に両膝の間が開く状態即ち外側に両膝が開くＯ脚（内反膝）の着用者に対して、当該Ｏ脚（内反膝）を矯正する引張力が作用することとなり、簡易な構成で、着用者における矯正が必要な各種動作をさらに強固に矯正することが可能となる。
【００１２】
また、本考案に係る下着は、必要に応じて、Ｓ撚り又はＺ撚りの糸を表糸及び／又は裏糸として丸編みで編成される一の筒状編地と、Ｓ撚り又はＺ撚りの糸のうち前記一の筒状編地の表糸と同じ撚りの糸を表糸及び／又は裏糸として丸編みで編成される他の筒状編地と、を縫合して構成されるものである。このように、前記一の筒状編地と前記他の筒状編地が、同じ撚りの糸を表糸及び／又は裏糸として丸編みで編成されて、左右の各筒状編地が撚りの同じ糸から構成されることから、下着の左端から右端（又は右端から左端）までの一方向に向かう力が作用して、ゴルフ、野球、テニス等のスポーツ競技での身体の左右非対称の固定動作を円滑にして、その動作の強度が高められることとなり、簡便な構成で、スポーツ競技等での着用者の動作を補助して向上させることが可能となる。
【００１３】
また、本考案に係る下着は、必要に応じて、前記一及び／又は他の筒状編地の表糸及び裏糸が、各々、Ｓ撚り又はＺ撚りの糸のうち同じ撚りの糸により編成されるものである。このように、前記一及び／又は他の筒状編地の双方が、裏糸として表糸と同じ撚りの糸を編成されることから、下着の左側と右側の双方に同じ向きの力が表糸及び裏糸の両方から強固に作用し（即ち、左右対称の下着の左側から右側までの一方向、又は右側から左側までの一方向に向かう力が作用する）、例えば、上半身用の下着として用いた場合には、右打ちのゴルファーの着用者に対して、左右対称の上半身用の下着の右側から左側までの一方向に向かう力が作用することで、右打ちのスウィング方向を推進する力が作用することとなり、簡易な構成で、スポーツ競技等での着用者の打撃等の左右非対称の動作を補強して打撃力等を向上させることが可能となる。
【００１４】
また、本考案に係る下着は、必要に応じて、前記一及び他の筒状編地を各々複数の表糸及び裏糸で編成する場合に、当該表糸及び裏糸が、前記Ｓ撚り及び／又は前記Ｚ撚りの糸を撚り戻りをかけた等の他の糸（すなわち、撚りを打ち消す糸のことを意味し、例えば、S撚りで発生する斜行を打ち消すZ撚りの糸）より割合を多くするものである。このように、前記一及び他の筒状編地を各々複数の表糸及び裏糸で編成する場合に、当該表糸及び裏糸が、前記Ｓ撚り及び／又は前記Ｚ撚りの糸を撚り戻りをかけた等の他の糸より割合を多くすることから、前記Ｓ撚り及び／又は前記Ｚ撚りの糸の撚りの強度について当該他の糸との割合を調整することで自在に強弱をつけられることとなり、用途に応じた最適な撚りの糸の撚りの強度を柔軟に得ることができ、ゴルフ等のスポーツ競技用の下着から日常的な矯正用途の下着まで幅広い用途に利用することができる。
【００１５】
また、本考案に係る下着は、必要に応じて、肩サポーター、Ｔシャツ、タンクトップ、スパッツ、タイツ、ストッキング、ガードル、またはショーツである。このように、本考案に係る下着は、肩サポーター、Ｔシャツ、タンクトップ、スパッツ、タイツ、ストッキング、ガードル、またはショーツであることから、左右対称の人体に対して、着用した下着の左側と右側とが互いに外向きに捻られるかまたは互いに内向きに捻られるかの力が作用する（即ち、左右対称の下着の左側と右側が共に内向または共に外向する方向に引張力が作用する）こととなり、当該捻りの力による左側と右側で生じる引張力によって、簡易な構成で、着用者における矯正が必要な各種動作を確実に矯正することが可能となる。
【図面の簡単な説明】
【００１６】
【図１】本考案の第１の実施形態に係る下着を構成する筒状編体の構成図である。
【図２】本考案の第１の実施形態に係る下着の着用状態を説明する説明図である。
【図３】本考案の第１の実施形態に係る下着の着用状態を説明する説明図である。
【図４】本考案の第２の実施形態に係る下着を構成する筒状編体の構成図である。
【図５】本考案の第２の実施形態に係る下着の着用状態を説明する説明図である。
【図６】本考案の第２の実施形態に係る下着の着用状態を説明する説明図である。
【図７】本考案の第２の実施形態に係る下着の着用状態を説明する説明図である。
【図８】本考案の第３の実施形態に係る下着の着用状態を説明する説明図である。
【図９】本考案の第３の実施形態に係る下着の着用状態を説明する説明図である。
【図１０】本考案の第４の実施形態に係る下着を構成する表糸及び裏糸を説明する説明図である。
【図１１】本考案のその他の実施形態に係る下着を構成する表糸及び裏糸を説明する説明図である。
【考案を実施するための形態】
【００１７】
（本考案の第１の実施形態）
以下、本考案の第１の実施形態に係る下着を、上記図１〜図３に基づいて説明する。
【００１８】
本実施形態に係る下着は、左右対称形状の筒状編地からなる下着であって、左右の各筒状編地の少なくとも一方が、Ｓ撚り又はＺ撚りの糸のいずれか一方で表糸及び／又は裏糸により編成されるものである。
【００１９】
このように、本実施形態に係る下着は、左右の各筒状編地が、左右で撚りの異なる糸から構成されるか、又は、左右で同じ撚りの糸から構成されるもののいずれでもよいが、以下では、このうち左右で撚りの異なる糸から構成される場合についての実施形態を例示的に示す。
【００２０】
即ち、本実施形態に係る下着は、左右対称形状の下着１０であって、図１（ａ）に示すように、Ｓ撚りの糸を表糸及び／又は裏糸として丸編みで編成される一の筒状編地１と、Ｚ撚りの糸を表糸及び／又は裏糸として丸編みで編成される他の筒状編地２と、を、図１（ｂ）に示すように縫合して一体化させて、その完成形として図１（ｃ）に示すように構成されるものである。
【００２１】
一の筒状編地１を構成するＳ撚りの糸とは、撚糸の性質を利用して一定方向（模式的にアルファベットのＳ字形状のように表される右向きの捻り方向）に捻られて構成される糸である。他の筒状編地２を構成するＺ撚りの糸とは、当該Ｓ撚りの糸の捻り方向とは逆方向（模式的にＳ字形状とは逆方向であるアルファベットのＺ字形状のように表される左向きの捻り方向）に捻られて構成される糸である。
【００２２】
表糸や裏糸としては、ナイロン・綿・ポリエステル等の素材に撚りをかけた糸や、芯にナイロンをS巻きまたはZ巻きに巻いたSCY(Single Covered Yarn)などが使用される。
例えば、このような表糸としては、撚糸機を用いて、芯糸を撚りをかけて撚り止めして得られる撚糸であり、例えば、綿、ポリエステル等の合成繊維、及び／または指定外繊維が混合されて成る混合糸を用いることができ、特に限定されないが、ウーリーナイロン（Woollie Nylon：ＷＮ）７０／１の糸を用いることができる。
【００２３】
また、例えば、このような裏糸としては、撚糸であるかどうかは特に限定されず、撚糸の他に、例えば、平糸を用いることができる。この構成から、裏糸は外観的には直接見えない位置にあることから、外観に影響を与えることなく裏糸が簡素に構成されることとなり、美観を維持しつつ、製造コストを抑制することが可能となる。
【００２４】
左右対称形状の下着１０としては、特に限定されないが、例えば、下半身用のものに適用することができ、このような下着１０としては、特に限定されないが、例えば、スパッツ、タイツ、ストッキング、ガードル、またはショーツが挙げられる。  
【００２５】
図１に、本実施形態に係る下着１０の一例として、スパッツの場合の一例を示す。
【００２６】
先ず、図１（ａ）に示すように、左右対称形状の下着１０を構成する前記一の筒状編地１と他の筒状編地２を各々丸編みで編成する。この一の筒状編地１（Ｓ撚りの糸で構成される）と他の筒状編地２（Z撚りの糸で構成される）は、いずれか一方が前記左右対称形状の左側となり他方が前記左右対称形状の右側となる。
【００２７】
例えば、図１（ａ）に示すように、着用者からみて、この一の筒状編地１（Ｓ撚りの糸で構成される）が前記左右対称形状の右側となり、この他の筒状編地２（Z撚りの糸で構成される）が前記左右対称形状の左側とすることができる。この場合には、下着１０が下半身用であることから、この一の筒状編地１は、着用者の右足用の部分であり、この他の筒状編地２は、着用者の左足用の部分に相当する。
【００２８】
後述するように、このような筒状編地の左右配置の違いによって、下着１０に生じる引張力の向きを、下着１０の対称中心線に向かう内向き、または下着１０の対称中心線から離れていく方向の外向きのいずれかに起こさせることが可能となり、下着１０に発生させる当該引張力を、このような左右配置の違いのみによって容易に設計することが可能となる。
【００２９】
この一の筒状編地１の一端部から長手方向に沿って直線状に切欠いて形成された一の切欠き部１ａを形成する。同様に、この他の筒状編地２の一端部から長手方向に沿った直線状に切欠いて形成された他の切欠き部２ａを形成する。
【００３０】
次に、図１（ｂ）に示すように、この各々の一の切欠き部１ａ及び他の切欠き部２ａを開放して各々一の開口部１ｂ及び他の開口部２ｂを形成する。次に、図１（ｃ）に示すように、この一の開口部１ｂ及び他の開口部２ｂ同士を縫合し、一の開口部１ｂ及び他の開口部２ｂから成る縫合部３を有する左右対称形状の下着１０としてのスパッツが構成される。着用者は、この縫合部３により形成された履入口４に両足を挿通することによって、下着１０としてのスパッツとして着用することができる。
【００３１】
このように、着用者からみて、この一の筒状編地１（Ｓ撚りの糸で構成される）が前記左右対称形状の右側となり、この他の筒状編地２（Z撚りの糸で構成される）が前記左右対称形状の左側とした場合には、この一の筒状編地１と他の筒状編地２が互いに異なる撚糸を構成したことによって、図２に示すように、この下着１０としてのスパッツが、着用者１００の両足に対して内向きの引張力Aが作用し、着用者１００の両足が、着用者１００の体の内側に向かって引っ張られる作用を受けることから、着用者１００の両足を内側に（体の中心に向かって）閉じる方向の力を受けることで、特に、起立時に両膝の間が開く状態即ち外側に両膝が開くＯ脚（内反膝）の着用者に対して、当該Ｏ脚（内反膝）を矯正する内向きの引張力が作用することとなり、簡易な構成で、着用者における矯正が必要な各種動作を簡便に矯正することが可能となる。
【００３２】
上記の他にも、この一の筒状編地１（Ｓ撚りの糸で構成される）が前記左右対称形状の左側となり、この他の筒状編地２（Z撚りの糸で構成される）が前記左右対称形状の右側とすることも可能である。この場合には、図３に示すように、この下着１０としてのスパッツが、着用者１００の両足に対して外向きの引張力Bが作用し、着用者１００の両足が、着用者１００の体の外側に向かって引っ張られる作用を受けることから、着用者１００の両足を外側に開く方向の力を受けることで、特に、起立時に両膝の間が閉じた状態即ち両膝が内側に彎曲したＸ脚（外反膝）の着用者に対して、当該Ｘ脚（外反膝）を矯正する外向きの引張力が作用することとなり、簡易な構成で、着用者における矯正が必要な各種動作を簡便に矯正することが可能となる。
【００３３】
このように、この下着１０としてのスパッツは、この一の筒状編地１と他の筒状編地２の互いに異なる撚糸の種類に応じて、即ち、どちらがＳ撚りであるかＺ撚りであるかに応じて、着用者の両足に対して、下着１０の対称中心線に向かう内向き、または、下着１０の対称中心線に対して離れる方向の外向きの引張力が作用することとなり、用途に応じた設計が容易に可能となり、着用者の両足を簡便かつ強固にサポートすることができる。
【００３４】
以上のように、本考案に係る下着１０は、左右対称形状の下着であって、Ｓ撚りの糸を表糸及び／又は裏糸として丸編みで編成される一の筒状編地１と、Ｚ撚りの糸を表糸及び／又は裏糸として丸編みで編成される他の筒状編地２とを縫合して構成されることから、表糸及び／又は裏糸としてのＳ撚りの糸とＺ撚りの糸が各々、左右対称形状の下着１０の左側と右側に構成されて糸の捻り方向が下着１０の左側と右側とで異なる方向に構成されることから、下着１０の左側と右側とが互いに外向きに捻られるかまたは互いに内向きに捻られるかの力が作用する（即ち、左右対称の下着１０の左側と右側が共に内向または共に外向する方向に引張力が作用する）こととなり、上半身用の下着１０であるスパッツとして用いた場合には、例えば、着用者１００の両足に対して内向きの引張力が作用する場合には、着用者１００の両足が、着用者１００の体の内側に向かって引っ張られる作用を受けることから、着用者１００の両足を内側に（体の中心に向かって）閉じる方向の力を受けることで、特に、起立時に両膝の間が開く状態即ち外側に両膝が開くＯ脚（内反膝）の着用者１００に対して、当該Ｏ脚（内反膝）を矯正する内向きの引張力が作用することとなり、また、例えば、着用者１００の両足に対して外向きの引張力が作用する場合には、着用者１００の両足が、着用者１００の体の外側に向かって引っ張られる作用を受けることから、着用者１００の両足を外側に開く方向の力を受けることで、特に、起立時に両膝の間が閉じた状態即ち両膝が内側に彎曲したＸ脚（外反膝）の着用者１００に対して、当該Ｘ脚（外反膝）を矯正する外向きの引張力が作用することとなり、簡易な構成で、着用者１００における矯正が必要な各種動作を簡便に矯正することが可能となる。
【００３５】
なお、本実施形態に係る下着１０としては、下半身用の下着として、スパッツの他にも各種の下着が適用可能であり、例えば、タイツや、ストッキングも挙げられ、上述した矯正効果を発揮することができる。
【００３６】
（本考案の第２の実施形態）
以下、本考案の第２の実施形態に係る下着を、上記図４〜図７に基づいて説明する。
【００３７】
本実施形態に係る下着は、上記第１の実施形態に係る下着１０と同様に、左右対称形状の下着１０であって、左右対称形状の下着１０であって、Ｓ撚りの糸を表糸及び／又は裏糸として丸編みで編成される一の筒状編地１と、Ｚ撚りの糸を表糸及び／又は裏糸として丸編みで編成される他の筒状編地２とを縫合して一体化させて構成されるものであり、特に上半身用のものである。
【００３８】
このような上半身用の下着１０としては、左右対称形状であれば特に限定されないが、例えば、着用者の左右両方の肩をサポートする下着としての肩サポーターが挙げられる。
【００３９】
このような下着１０として、肩サポーターの場合の一例を図４に示す。
【００４０】
本実施形態に係る下着１０の編成としては、先ず、図４（ａ）に示すように、左右対称形状の下着１０を構成する一の筒状編地１（Ｓ撚りの糸で構成される）と他の筒状編地２（Z撚りの糸で構成される）を各々別個に丸編みで編成する。即ち、この一の筒状編地１を一方の肩用に構成されると共に、この他の筒状編地２を他方の肩用に構成される。
【００４１】
この一の筒状編地１と他の筒状編地２は、いずれか一方が前記左右対称形状の左側となり他方が前記左右対称形状の右側となる。例えば、図４（ａ）に示すように、着用者からみて、この一の筒状編地１（Ｓ撚りの糸で構成される）が前記左右対称形状の左側であると共に、この他の筒状編地２（Z撚りの糸で構成される）が前記左右対称形状の右側とすることができる。
【００４２】
この一の筒状編地１（Ｓ撚りの糸で構成される）の一端部から長手方向に沿って直線状に切欠いて形成された一の切欠き部１ａを形成する。同様に、この他の筒状編地２（Z撚りの糸で構成される）の一端部から長手方向に沿った直線状に切欠いて形成された他の切欠き部２ａを形成する。
【００４３】
次に、図４（ｂ）に示すように、この各々の一の切欠き部１ａ及び他の切欠き部２ａを開放して各々一の開口部１ｂ及び他の開口部２ｂを形成する。次に、図４（ｃ）に示すように、この一の開口部１ｂ及び他の開口部２ｂ同士を縫合し、一の開口部１ｂ及び他の開口部２ｂから成る縫合部３を有する左右対称形状の下着１０としての肩サポーターが構成される。着用者は、この縫合部３から両腕を挿通することによって、下着１０としての肩サポーターとして着用することができる。
【００４４】
この引張力については、着用者からみて、この一の筒状編地１（Ｓ撚りの糸で構成される）が前記左右対称形状の左側であると共に、この他の筒状編地２（Z撚りの糸で構成される）が前記左右対称形状の右側とする構成から、図５に示すように、この下着１０としての肩サポーターが、着用者１００の両肩に対して外向きの引張力Ａが作用し、着用者１００の両肩が、着用者１００の体の外側に向かって引っ張られる作用を受けることから、着用者１００の両肩に対して、外側に開く方向の力を受けることで着用者１００が胸を張る状態に矯正されることとなり、着用者１００の姿勢を向上させることができる。
【００４５】
この他にも、着用者からみて、この一の筒状編地１（Ｓ撚りの糸で構成される）が前記左右対称形状の右側であると共に、この他の筒状編地２（Z撚りの糸で構成される）が前記左右対称形状の左側とすることもできる。この構成により、図６に示すように、この下着１０としての肩サポーターが、着用者１００の両肩に対して内向きの引張力Ｂが作用し、着用者１００の両肩が、着用者１００の体の内側に向かって引っ張られる作用を受けることから、着用者１００の両肩を内側に（体の中心に向かって）閉じる方向の力を受けることで、例えば、両肩の脱臼予防用のサポーターとして着用者１００の可動域が矯正されることとなり、着用者１００の運動時の脱臼を予防することができる。
【００４６】
このように、この下着１０としての肩サポーターは、この一の筒状編地１と他の筒状編地２の互いに異なる撚糸の種類に応じて、即ち、どちらがＳ撚りであるかＺ撚りであるかに応じて、着用者の両肩に対して、下着１０の対称中心線に向かう方向である内向き、または下着１０の対称中心線から放れる方向である外向きの引張力が作用することとなり、このように引張力の作用する向きを、この一の筒状編地１と他の筒状編地２の左右配置の違いによって簡易に設計することができ、用途に応じた設計が容易に可能となり、着用者の両肩を簡便かつ強固にサポートすることができる。
【００４７】
以上のように、本考案に係る下着は、左右対称形状の下着であって、Ｓ撚りの糸を表糸及び／又は裏糸として丸編みで編成される一の筒状編地と、Ｚ撚りの糸を表糸及び／又は裏糸として丸編みで編成される他の筒状編地と、を縫合して構成されることから、表糸としてのＳ撚りの糸とＺ撚りの糸が各々、左右対称形状の下着の左側と右側に構成されて糸の捻り方向が下着の左側と右側とで異なる方向に構成されることから、下着の左側と右側とが互いに外向きに捻られるかまたは互いに内向きに捻られるかの力が作用する（即ち、左右対称の下着の左側と右側が共に内向または共に外向する方向に引張力が作用する）こととなり、上半身用の下着である肩サポーターとして用いた場合には、例えば、着用者の両肩に対して内向きの引張力が作用する場合には、着用者の両肩が、着用者の体の内側に向かって引っ張られる作用を受けることから、着用者の両肩を内側に（体の中心に向かって）閉じる方向の力を受けることで、例えば、両肩の脱臼予防用のサポーターとして着用者の可動域が矯正されることとなり、着用者の運動時の脱臼を予防することができ、簡易な構成で、着用者における矯正が必要な各種動作を簡便に矯正することが可能となる。
【００４８】
なお、本実施形態に係る下着としては、上半身用の下着として、肩サポーターの他にも各種の下着が適用可能であり、例えば、図７（ａ）に示すような長袖シャツや、図７（ｂ）に示すような半袖シャツも挙げられ、上述した引張力の作用によって、優れた矯正効果を発揮することができる。例えば、図７（ａ）に示す長袖シャツでは、右側（右腕側）の一の筒状編地１がＳ撚りの糸を表糸及び／又は裏糸として丸編みで編成され、左側（左腕側）の他の筒状編地２がＺ撚りの糸を表糸及び／又は裏糸として丸編みで編成されており、この場合には、下着の左側と右側とが互いに内向きに捻られる力が作用することとなり、簡易な構成で、着用者における矯正が必要な各種動作を簡便に矯正することが可能となる。また、例えば、図７（ｂ）に示す半袖シャツでは、右側（右腕側）の一の筒状編地１がＳ撚りの糸を表糸及び／又は裏糸として丸編みで編成され、左側（左腕側）の他の筒状編地２がＺ撚りの糸を表糸及び／又は裏糸として丸編みで編成されており、この場合には、下着の左側と右側とが互いに内向きに捻られる力が作用することとなる。簡易な構成で、着用者における矯正が必要な各種動作を簡便に矯正することが可能となる。
【００４９】
（本考案の第３の実施形態）
以下、本考案の第３の実施形態に係る下着１０を、図８及び図９を用いて以下説明する。
【００５０】
上記の各実施形態に係る下着では、左右対称形状の筒状編地からなる下着であって、左右の各筒状編地の少なくとも一方が、Ｓ撚り又はＺ撚りの糸のいずれか一方で表糸及び／又は裏糸により編成されるものであり、このうち左右で撚りの異なる糸から構成される場合についての実施形態を例示的に示したが、本実施形態に係る下着では、左右の各筒状編地で同じ撚りの糸から構成される場合についての実施形態を例示的に示す。
【００５１】
即ち、本実施形態に係る下着は、左右対称形状の下着１０であって、図８（ａ）に示すように、Ｓ撚りの糸を表糸及び／又は裏糸として丸編みで編成される一の筒状編地１と、Ｓ撚りの糸を表糸及び／又は裏糸として丸編みで編成される他の筒状編地２とを縫合して一体化させて、その完成形として上述の図１（ｃ）と同様に構成されるものである。
【００５２】
また、この他にも、本実施形態に係る下着は、左右対称形状の下着１０であって、図８（ｂ）に示すように、Ｚ撚りの糸を表糸として丸編みで編成される一の筒状編地１と、Ｚ撚りの糸を表糸として丸編みで編成される他の筒状編地２とを縫合して一体化させて、その完成形として上述の図１（ｃ）と同様に構成されることも可能である。
【００５３】
この構成により、この一の筒状編地１と他の筒状編地２に同じ撚糸を構成されたことから、図９に示すように、この下着１０としてのスパッツが、着用者１００の両足に対して右端（右足側）から左端（左足側）までの一方向の引張力Cが作用し、着用者１００の両足が、着用者１００の足の右端から左端に向かって引っ張られる作用を受けることから、着用者１００の両足に対して、一の筒状編地１及び他の筒状編地２の双方が同じ向きの力が作用し（即ち、左右対称の下着の左側から右側までの一方向、又は右側から左側までの一方向に向かう力が作用する）、例えば、右利きの右打ちのゴルファーの着用者に対して、左右対称の下着の右側から左側までの一方向に向かう引張力が作用することで、右打ちのスウィング方向に沿って推進する力が作用することとなり、簡易な構成で、スポーツ競技等での着用者における打撃等の左右非対称の動作を補強し、その結果として打撃力等を向上させることが可能となる。
【００５４】
この下着１０としてのスパッツは、この一の筒状編地１と他の筒状編地２の同じ撚りの撚糸の種類に応じて、即ち、左右両方ともＳ撚りであるか又はＺ撚りであるかに応じて、着用者の両足に対して、下着１０の左端から右端までの一方向に向かう向き、または、右端から左端までの一方向に向かう向きの引張力が作用することとなり、用途に応じた設計が容易に可能となる。上記第１及び第２の実施形態と同様に、下半身用の下着のみならず、半袖シャツや長袖シャツ等の上半身用の下着にも適用可能である。
【００５５】
（本考案の第４の実施形態）
以下、本考案の第４の実施形態に係る下着１０を、図１０を用いて以下説明する。
【００５６】
本実施形態に係る下着１０は、上記第１及び第２の実施形態に係る下着１０と同様に、左右対称形状の下着１０であって、前記一の筒状編地及び／又は他の筒状編地の表糸及び裏糸が、各々、Ｓ撚り又はＺ撚りの糸のうち同じ撚りの糸により編成される構成である。即ち、Ｓ撚りの糸を表糸として丸編みで編成される一の筒状編地１と、Ｚ撚りの糸を表糸として丸編みで編成される他の筒状編地２とを、縫合して構成され、さらに、この一の筒状編地１が、裏糸としてＳ撚りの糸を編成されると共に、この他の筒状編地２が、裏糸としてＺ撚りの糸を編成されるものである。
【００５７】
この一の筒状編地１は、図１０（ａ）に示すように、表糸及び裏糸の両面ともＳ撚りの糸を編成される。また、この他の筒状編地２は、図１０（ｂ）に示すように、表糸及び裏糸の両面ともＺ撚りの糸を編成される。
【００５８】
このような表糸としては、上記各実施形態と同様に、撚糸機を用いて、撚りをかけて撚り止めして得られる撚糸であり、例えば、綿、ポリエステル等の合成繊維、及び／または指定外繊維が混合されて成る混合糸を用いることができ、特に限定されないが、ウーリーナイロン（Woollie Nylon：ＷＮ）７０／１の糸を用いることができる。
【００５９】
また、このような裏糸としては、表糸と同様に、撚糸機を用いて、撚りをかけて撚り止めして得られる撚糸であり、例えば、ポリウレタン弾性糸等を芯糸に用いて、ナイロン糸及びポリエステル糸等で巻いたカバードヤーン（ＦＴＹ）を用いることができ、特に限定されないが、カバードヤーン（ＦＴＹ）２０／７０を用いることができる。
【００６０】
このように、本実施形態に係る下着１０は、この一の筒状編地１が、裏糸としてＳ撚りの糸を編成されると共に、この他の筒状編地２が、裏糸としてＺ撚りの糸を編成されること、即ち、この一の筒状編地１及び／又は他の筒状編地２の表糸及び裏糸が、各々、Ｓ撚り又はＺ撚りの糸のうち同じ撚りの糸により編成される構成であることから、下着１０の左側と右側とが互いに（両方とも）外向きに捻られるかまたは互いに内向きに捻られるかの力が表糸及び裏糸の双方（両面）から強固に作用することとなり、例えば、下半身用の下着１０として用いた場合には、内向する方向に引張力が作用する場合には、起立時に両膝の間が開く状態即ち外側に両膝が開くＯ脚（内反膝）の着用者に対して、当該Ｏ脚（内反膝）を矯正する引張力が表糸及び裏糸の両面から同時に作用することとなり、また、外向する方向に引張力が作用する場合には内側に足が閉じたＸ脚（外反膝）の着用者に対して、当該Ｘ脚（外反膝）を矯正する引張力が表糸及び裏糸の両面から同時に作用することとなり、簡易な構成で、着用者における矯正が必要な各種動作をさらに強固に矯正することが可能となる。
【００６１】
また、本実施形態に係る下着１０は、第２の実施形態のように、左右の各筒状編地で同じ撚りの糸から構成される場合についても同様に、前記一の筒状編地１と他の筒状編地２の双方が、裏糸としてＳ撚り又はＺ撚りの糸のうち表糸と同じ撚りの糸を編成されることが可能である。この構成により、下着の左端から右端（又は右端から左端）までの一方向に向かう力がより一層強く作用して、ゴルフ、野球、テニス等のスポーツ競技での身体の左右非対称の固定動作を円滑にして、その動作の強度が高められることとなり、簡便な構成で、スポーツ競技等での着用者の動作を補助して向上させることが可能となる。
【００６２】
以上のことから、上記の各実施形態に係る下着は、上半身用及び下半身用のいずれかを問わず、例えば、肩サポーター、Ｔシャツ、タンクトップ、スパッツ、タイツ、ストッキング、ガードル、またはショーツとして適用可能であることから、当該下着を着用した際に、左右対称である人体に対して、着用者の左側部分と右側部分とが互いに外向きに捻られるかまたは互いに内向きに捻られるかの力が作用することとなり、当該捻りの力による左側と右側で生じる引張力によって、簡易な構成で、着用者における矯正が必要な各種動作を確実に矯正することが可能となる。
【００６３】
（その他の実施形態）
なお、上記各実施形態において、前記一及び他の筒状編地を各々複数の表糸及び裏糸で編成する場合に、当該表糸及び裏糸が、前記Ｓ撚り及び／又は前記Ｚ撚りの糸を撚り戻りをかけた等の他の糸より割合を多くすることも可能である。
【００６４】
撚り戻りをかけた等の他の糸としては、編立て後に撚りを除去するための糸も含まれ、例えば、編立て後に前記Ｓ撚り及び／又は前記Ｚ撚りの撚りを戻すために使われる前記Ｚ撚り及び／又は前記Ｓ撚りの糸も含まれる。この他にも、撚り戻り等により、一方向に偏った撚りの状態が残っていない糸も用いることが可能であり、例えば、諸撚りの糸、カバリングヤーンの糸、上撚りの糸等が挙げられる。諸撚りの糸とは、撚りの異なる二本の単糸を撚り合わせて糸の撚り戻りをかけて一本にして形成された双糸である。カバリングヤーンの糸とは、芯糸に撚りの異なる二本の蛸糸を撚り合わせて糸の撚り戻りをかけて形成された双糸である。上撚りの糸とは、最初の撚り糸である下撚りの糸に対して、下撚りとは反対方向に撚りをかけた糸であり、糸の撚り戻りをかけて形成された双糸である。
【００６５】
図１１（a）に示すように、前記一の筒状編地１と他の筒状編地２を各々複数の表糸及び裏糸で編成する場合の一例として、丸編み編成の際に異なる４方向から縫製を行う場合には、異なる４方向すべてをＳ撚りの糸とすることができるが、図１１（ｂ）にすように、異なる４方向のうち１方向のみをＺ撚りの糸（撚り戻された他の糸）とすることも可能である。このいずれの場合にも全体としてはＳ撚りの糸の割合が高いことＳ撚りの糸として編成されることとなるが、図１１（ｂ）で得られるＳ撚りの糸から編成されるほうが、図１１（a）で得られるＳ撚りの糸から編成されるほうよりも、Ｓ撚りの撚りの度合いをやや穏やかに編成することができる。
【００６６】
この他にも、前記一の筒状編地１と他の筒状編地２を各々複数の表糸及び裏糸で編成する場合の一例として、丸編み編成の際に異なる４方向から縫製を行う場合には、異なる４つの編成方向すべてをＺ撚りの糸とすることができ、異なる４つの編成方向のうち１方向のみをＳ撚りの糸（撚り戻された他の糸）ととすることもでき、異なる４つの編成方向すべてをＺ撚りの糸とした場合よりも、Ｚ撚りの撚りの度合いをやや穏やかに編成できることができる。
【００６７】
このように、この一の筒状編地１及び他の筒状編地２を各々複数の表糸及び裏糸で編成する場合に、当該表糸及び裏糸が、前記Ｓ撚り及び／又は前記Ｚ撚りの糸を撚り戻りをかけた等の他の糸より割合を多くすることから、このＳ撚り及び／又はこのＺ撚りの糸の撚りの強度について自在に強弱をつけられることとなり、用途に応じた最適な撚りの糸の撚りの強度を柔軟に得ることができ、ゴルフ等のスポーツ競技用の下着から日常的な矯正用途の下着まで幅広い用途に応じた撚りの強度で利用することができ、幅広い利用ニーズに応えることができる。
【符号の説明】
【００６８】
１  一の筒状編地
１ａ  一の切欠き部
１ｂ  一の開口部
２  他の筒状編地
２ａ  他の切欠き部
２ｂ  他の開口部
３  縫合部
１０  下着
１００  着用者
【図１】
0003228251.tif 000003
【図２】
0003228251.tif 000004
【図３】
0003228251.tif 000005
【図４】
0003228251.tif 000006
【図５】
0003228251.tif 000007
【図６】
0003228251.tif 000008
【図７】
0003228251.tif 000009
【図８】
0003228251.tif 000010
【図９】
0003228251.tif 000011
【図１０】
0003228251.tif 000012
【図１１】
0003228251.tif 000013